(57)【要約】【課題】画面表示された印刷イメージを、直感的な操作で簡単に編集することができる情報処理装置を提供する。【解決手段】任意の情報に基づく印刷イメージ２２を画面に表示する印刷イメージ表示手段と、印刷イメージ２２の表示に際し、印刷イメージ２２の少なくとも一部を含み、当該印刷イメージ２２を編集するための１以上の編集項目をそれぞれ関連付けた１以上の領域２４を設定する領域設定手段と、画面上の任意のポイントを指定するためのポイント指定手段と、指定したポイントが領域２４に含まれる場合、当該領域２４に関連付けられた１以上の編集項目を表示する編集項目表示手段と、１以上の編集項目の内の１つを選択するための編集項目選択手段と、選択された編集項目に基づいて印刷イメージ２２の編集を行う編集手段と、を備え、印刷イメージ表示手段は、編集手段の編集結果を反映させた印刷イメージ２２を表示する。【選択図】図６
2010224703.tif 000002
【特許請求の範囲】
【請求項１】
任意の情報に基づく印刷イメージを画面に表示する印刷イメージ表示手段と、
前記印刷イメージの表示に際し、前記印刷イメージの少なくとも一部を含み、当該印刷イメージを編集するための１以上の編集項目をそれぞれ関連付けた１以上の領域を設定する領域設定手段と、
前記画面上の任意のポイントを指定するためのポイント指定手段と、
指定した前記ポイントが前記領域に含まれる場合、当該領域に関連付けられた前記１以上の編集項目を表示する編集項目表示手段と、
前記１以上の編集項目の内の１つを選択するための編集項目選択手段と、
選択された前記編集項目に基づいて、前記印刷イメージの編集を行う編集手段と、を備え、
前記印刷イメージ表示手段は、
前記編集手段の編集結果を反映させた前記印刷イメージを表示することを特徴とする情報処理装置。
【請求項２】
前記編集項目表示手段は、
指定した前記ポイントが複数の前記領域に含まれる場合、当該複数の領域に関連付けられた全ての前記編集項目を表示することを特徴とする請求項１に記載の情報処理装置。
【請求項３】
前記画面は、タッチパネル付きディスプレーで形成されていることを特徴とする請求項１または２に記載の情報処理装置。
【請求項４】
請求項１ないし３のいずれか１項に記載の情報処理装置における各手段と、前記印刷イメージに基づき、テープ上に印刷を行う印刷手段と、を備えたことを特徴とするテープ印刷装置。
【請求項５】
コンピュータに、請求項１ないし３のいずれか１項に記載の情報処理装置における各手段を実行させるためのプログラム。
【発明の詳細な説明】
【技術分野】
【０００１】
本発明は、作成した印刷データに基づく印刷イメージをプレビュー表示することができる情報処理装置、テープ印刷装置およびプログラムに関するものである。
【背景技術】
【０００２】
従来、作成した文書データや画像データ等の印刷データの印刷イメージを表示画面に表示する、所謂プレビュー表示が可能な印字イメージ表示装置が知られている。例えば、特許文献１には、ユーザーにより作成された印刷データ（印字データ）の内容を、そのままの様式でプレビュー表示する機能（通常のプレビュー機能）と、印刷データの上下（あるいは左右）を反転させた鏡像イメージをプレビュー表示する機能と、を有する印字イメージ表示装置が記載されている。
【先行技術文献】
【特許文献】
【０００３】
【特許文献１】特開平６−２４２７６６号公報
【発明の概要】
【発明が解決しようとする課題】
【０００４】
しかしながら、上記の装置では、通常のプレビュー表示機能および鏡像イメージのプレビュー表示機能の何れにおいても、単に印刷データに基づく印刷結果を表示しているのみである。このため、印刷結果をプレビュー表示した際に、実際にユーザーが想定していた結果とは異なる結果が表示されていた場合、一旦、プレビュー表示モードから文書作成モードに切り替えて印刷データの編集を行う必要があり、手間がかかるという問題がある。また、プレビュー表示と編集とを異なる画面で行うため、直感的な操作で編集を行うことができず、ユーザーにとっては使い勝手の悪いものであった。
【０００５】
本発明は、上記の問題に鑑みたものであり、画面表示された印刷イメージを、直感的な操作で簡単に編集することができる情報処理装置、テープ印刷装置およびプログラムを提供することを目的とする。
【課題を解決するための手段】
【０００６】
本発明の情報処理装置は、任意の情報に基づく印刷イメージを画面に表示する印刷イメージ表示手段と、印刷イメージの表示に際し、印刷イメージの少なくとも一部を含み、当該印刷イメージを編集するための１以上の編集項目をそれぞれ関連付けた１以上の領域を設定する領域設定手段と、画面上の任意のポイントを指定するためのポイント指定手段と、指定したポイントが領域に含まれる場合、当該領域に関連付けられた１以上の編集項目を表示する編集項目表示手段と、１以上の編集項目の内の１つを選択するための編集項目選択手段と、選択された編集項目に基づいて、印刷イメージの編集を行う編集手段と、を備え、印刷イメージ表示手段は、編集手段の編集結果を反映させた印刷イメージを表示することを特徴とする。
【０００７】
この構成によれば、印刷イメージを表示する画面上で（プレビュー表示画面上で）、ユーザーが編集したいポイントを指定するだけで、当該印刷イメージを編集し、その編集結果を反映させた印刷イメージを表示することができる。つまり、従来のように、編集画面に切り替えて編集する必要がなく、簡単に、且つ直感的な操作で編集を行うことができ、利便性が良い。
なお、編集項目としては、余白設定、外枠設定、フォント設定、カット設定等が考えられる。
【０００８】
本発明の情報処理装置において、編集項目表示手段は、指定したポイントが複数の領域に含まれる場合、当該複数の領域に関連付けられた全ての編集項目を表示することが好ましい。
【０００９】
この構成によれば、指定したポイントの印刷イメージ部分に対し、複数種類の編集方法がある場合に、その全ての編集項目を表示することができる。これにより、例えば、ユーザーが知らない（あるいは、想定していない）編集項目の存在を認識させることができ、ユーザーの編集作業の幅を広げることができる。
【００１０】
本発明の情報処理装置において、画面は、タッチパネル付きディスプレーで形成されていることが好ましい。
【００１１】
この構成によれば、画面に触るだけで印刷イメージの編集ができるため、より直感的な操作で編集を行うことができる。特に、キーボードやマウス等を使い慣れていない人でも容易に操作でき、利便性が良い。
【００１２】
本発明のテープ印刷装置は、上記に記載の情報処理装置における各手段と、印刷イメージに基づき、テープ上に印刷を行う印刷手段と、を備えたことを特徴とする。
【００１３】
この構成によれば、印刷イメージを表示する画面上で（プレビュー表示画面上で）、編集したいポイントを指定するだけで、当該印刷イメージを編集することができるテープ印刷装置を提供することができる。なお、ポイント指定をする手段としては、例えば、キーボードのカーソルキーを操作することにより、領域を切り替えて選択するようにしても良いし、あるいはディスプレーがタッチパネル付きのものであれば、画面をタッチしてポイントを指定するようにしても良い。
【００１４】
本発明のプログラムは、コンピュータに、上記に記載の情報処理装置における各手段を実行させるためのものであることを特徴とする。
【００１５】
これを用いることにより、印刷イメージを表示する画面上で（プレビュー表示画面上で）、編集したいポイントを指定するだけで、当該印刷イメージを編集することが可能なプログラムを提供することができる。
【図面の簡単な説明】
【００１６】
【図１】本実施形態に係る印刷システムの模式図である。
【図２】情報処理装置のブロック図である。
【図３】プレビュー表示画面を説明する図である。
【図４】テープ印刷装置の開蓋状態における外観斜視図である。
【図５】テープ印刷装置のブロック図である。
【図６】プレビュー表示画面において、印刷イメージを編集する流れを画面遷移に基づいて説明する図である。
【図７】印刷イメージの一連の編集手順について説明するフローチャートである。
【発明を実施するための形態】
【００１７】
以下、添付の図面を参照して、本発明の情報処理装置およびテープ印刷装置により構成される印刷システムの一実施形態について説明する。
【００１８】
図１は、印刷システム１の模式図である。図１に示すように、印刷システム１は、情報処理装置２と、テープ印刷装置３と、から成り、これらはケーブル４を介して接続されている。情報処理装置２としては、キーボード１１、マウス１２およびディスプレー１３等を有する一般的なパーソナルコンピューターを利用可能である。つまり、ＣＤ−ＲＯＭ５に格納されているＰＣアプリケーション１９ｂおよびプリンタードライバー１９ｃ（いずれも図２参照）をパーソナルコンピューターにインストールすることによって、本実施形態の情報処理装置２として機能させることができる。
【００１９】
テープ印刷装置３は、本体右側に設けられたコネクタ４６により情報処理装置２と接続され、当該情報処理装置２から取得した印刷データに基づいて、長尺状のテープＴ（印刷媒体，図４参照）に対して印刷および切断を行うことによりラベルを作成する。
【００２０】
なお、本実施形態では、情報処理装置２とテープ印刷装置３とをケーブル４を介して直接接続する構成を例示しているが、ネットワーク（インターネットやローカルエリアネットワーク）を介して接続させても良いし、無線通信を介して接続させても良い。
【００２１】
次に、図２を参照し、情報処理装置２の制御構成について説明する。情報処理装置２は、図１に示したキーボード１１、マウス１２およびディスプレー１３の他、ＣＤドライブ１４、接続インターフェイス１５、ＣＰＵ１６（Central Processing Unit）、ＲＯＭ１７（Read Only Memory）、ＲＡＭ１８（Random Access Memory）、ＨＤＤ１９（Hard Disk Drive）およびこれら各コンポーネントを接続する接続バス２０を備えている。
【００２２】
ＣＤドライブ１４は、ＣＤ−ＲＯＭ５に格納されているデータを読み取るためのものであり、本実施形態ではＰＣアプリケーション１９ｂおよびプリンタードライバー１９ｃのインストールに用いられる。接続インターフェイス１５は、テープ印刷装置３のコネクタ４６とケーブル４を介して接続し、各種データの送受信を行うものである。本実施形態ではＵＳＢインターフェイスを採用している。
【００２３】
ＣＰＵ１６は、各種データの演算処理を行うことによって、情報処理装置２全体を制御するものである。ＲＯＭ１７は、ＣＰＵ１６が各種制御を行うための制御プログラムおよび制御データを記憶している。ＲＡＭ１８は、ＣＰＵ１６が各種処理を実行するための作業領域として使用される。
【００２４】
ＨＤＤ１９は、オペレーティングシステム（ＯＳ）１９ａの他、ＣＤ−ＲＯＭ５から読み取ったＰＣアプリケーション１９ｂおよびプリンタードライバー１９ｃを記憶している。プリンタードライバー１９ｃは、オペレーティングシステム１９ａとテープ印刷装置３との橋渡しを行うものである。
【００２５】
また、ＰＣアプリケーション１９ｂは、オペレーティングシステム１９ａに組み込まれて利用される応用ソフトであり、テープＴに印刷する印刷画像（印刷データ）の入力・編集や、実際に印刷した時の印刷イメージ２２（図３参照）の表示、および印刷指示等、各種処理を実行するための処理プログラムを含む。情報処理装置２では、ＰＣアプリケーション１９ｂが起動された後、ユーザーがディスプレー１３に表示される編集画面（図示省略）を参照しながら、データの入力・編集を行うことにより、印刷データを生成する。また、詳細は後述するが、ユーザーがディスプレー１３に表示されるプレビュー表示画面２１（図３参照）を参照しながら、実際に印刷したときの印刷イメージ２２を確認することができると共に、当該プレビュー表示画面２１上で印刷イメージ２２を編集することができる。
【００２６】
ここで、図３を参照し、プレビュー表示画面２１について説明する。プレビュー表示画面２１は、ＰＣアプリケーション１９ｂのメニューバー２３やツールバー（図示省略）の操作によって表示することができ、印刷イメージ２２の表示および編集を行う画面である。
【００２７】
このプレビュー表示画面２１では、印刷イメージ２２の表示に際し、当該印刷イメージ２２の少なくとも一部を含む１以上の領域２４（ここでは、領域２４ａから領域２４ｇ）が設定される。この各領域２４は、情報処理装置２が対象となる印刷イメージ２２の所定の部分（キャラクター部分、装飾部分、余白部分等）に応じて自動的に割り当てるものであり、各領域２４は、一部を重複して設定することも可能である（例えば、領域２４ａおよび領域２４ｂ）。また、各領域２４は、印刷イメージ２２の少なくとも一部を含んでいれば、印刷イメージ２２外の領域２５（図中の網掛けの領域）を含んでいても良い。
【００２８】
また、各領域２４には、その領域２４に含まれる印刷イメージ２２に対応した編集項目が関連付けられている。本実施形態では、編集項目として、領域２４ｂおよび領域２４ｆには印刷イメージ２２の余白を編集するための「余白設定」が関連付けられている。また、領域２４ｃおよび領域２４ｄには印刷イメージ２２の外枠（装飾）を編集するための「外枠設定」が、領域２４ａおよび領域２４ｇにはテープＴのカット方法の設定するための「カット設定」が、領域２４ｅには印刷イメージ２２のキャラクター（文字、英数字、記号等）のサイズや書体等を編集するための「フォント設定」が関連付けられている。
【００２９】
このプレビュー表示画面２１上で、ユーザーが任意のポイントを指定することで（マウス等によりクリックすることで）、情報処理装置２は、プレビュー表示画面２１上の当該ポイントが含まれる領域２４に関連付けられた編集項目を表示する。そして、ユーザーは、当該編集項目から所望の編集項目を選択することで、印刷イメージ２２の編集を行う（詳細は後述する）。
【００３０】
なお、図３において、各領域２４を点線、一点鎖線および二点鎖線で示しているが、実際のプレビュー表示画面２１には表示されない（図６についても同様である）。また、各領域２４のサイズ（範囲）、形状および各領域２４に関連付けられた編集項目は一例であり、これに限るものではない。
【００３１】
次に、図４を参照し、テープ印刷装置３の装置構成について説明する。図４は、テープ印刷装置３の開閉蓋３４を開いた状態の外観斜視図である。図４に示すようにテープ印刷装置３は、装置ケース３２により外装が形成され、装置ケース３２の前部上面には各種入力キーを備えたキーボード３３が配置されると共に、後部上面には、その左部に開閉蓋３４が取り付けられ、その右部には表示画面３５が配設されている。
【００３２】
開閉蓋３４の内側にはテープカートリッジＣを装着するためのカートリッジ装着部３６が窪入形成されており、テープカートリッジＣは、開閉蓋３４を開放した状態でカートリッジ装着部３６に着脱可能に装着される。また、開閉蓋３４にはこれを閉じた状態でテープカートリッジＣの装着／非装着を視認するための覗き窓３７が形成されている。
【００３３】
キーボード３３には、文字キー群３３ａ、および各種動作モード等を指定するための機能キー群３３ｂが配列されている。文字キー群３３ａは、ＪＩＳ配列に基づいたフルキー構成であり、操作するキー数の増加を抑えるためのシフトキーを備えるなど、一般のワードプロセッサー等と同様である。機能キー群３３ｂには、［印刷］キー４１、カーソルキー４２、[選択]キー４３などが含まれる。なお、これらのキー入力は、一般的なキーボードと同様に、キー入力毎に個別にキーを設けても良いし、シフトキー等と組み合わせてより少ない数のキーを用いて入力するようにしても良い。
【００３４】
［印刷］キー４１は、印刷実行を指示するためのキーである。カーソルキー４２は、上下左右キー（［↑］，［↓］，［←］，［→］）から成り、カーソル移動やスクロール操作を行うためのキーである。［選択］キー４３は、選択候補（選択肢）の選択および確定操作を行うためのキーである。
【００３５】
表示画面３５は、液晶ディスプレーで形成されている。表示画面３５は、ユーザーがキーボード３３により所望の情報（テキストや画像等）を入力して、テキストデータや画像データ等の印刷データを作成・編集したり、その結果等を視認（確認）したりする際に用いられる。
【００３６】
装置ケース３２の左側部には、カートリッジ装着部３６と外部とを連通するテープ排出口５１が形成され、このテープ排出口５１には、送り出したテープＴを切断するためのテープカッター５２が臨んでいる。そして、テープ排出口５１から印刷済みのテープＴが所定長さだけ送り出され、送りを一旦停止させた状態で、この印刷済みのテープＴをテープカッター５２により切断して短冊状のラベルを作成する。なお、切断処理については、自動カットを「する」または「しない」の選択をすることによりカッターモーター５３（図５参照）の駆動を設定できる。また、図示は省略するが、装置ケース３２の右側部には、電源供給のための電源供給口が形成されている。
【００３７】
一方、カートリッジ装着部３６には、ヘッドカバー５５内にサーマルタイプの印刷ヘッド５６が内蔵されたヘッドユニット５４と、印刷ヘッド５６に対峙するプラテン駆動軸５７と、後述のインクリボンＲを巻き取る巻き取り駆動軸５８と、後述のテープリール６２の位置決め突起５９とを備えている。また、カートリッジ装着部３６の下側には、プラテン駆動軸５７および巻き取り駆動軸５８を回転させるテープ送りモーター６０（図５参照）が内蔵されている。
【００３８】
テープカートリッジＣは、カートリッジケース６１内部の上部中央部に、一定の幅（４ｍｍ〜４８ｍｍ程度）のテープＴを巻回したテープリール６２と、右下部にインクリボンＲを巻回したリボンリール６３とを収容して構成されており、テープＴとインクリボンＲは同じ幅で構成されている。また、テープリール６２の左下部には前記ヘッドユニット５４が差し込まれるための貫通孔６４が形成されている。さらに、貫通孔６４にヘッドユニット５４が差し込まれた状態で、当該ヘッドユニット５４に内蔵された印刷ヘッド５６に対し、テープＴとインクリボンＲとが重なる部分を挟んで対向する位置に、前記プラテン駆動軸５７に嵌合されて回転駆動するプラテンローラー６５が配設されている。一方、前記リボンリール６３に近接してリボン巻き取りリール６６が配置され、リボンリール６３から繰り出されたインクリボンＲは、ヘッドカバー５５を周回するように配置され、リボン巻き取りリール６６に巻き取られるようになっている。
【００３９】
テープカートリッジＣがカートリッジ装着部３６に装着されると、ヘッドカバー５５に貫通孔６４が、位置決め突起５９にテープリール６２の中心孔が、巻き取り駆動軸５８にリボン巻き取りリール６６の中心孔がそれぞれ差し込まれ、テープＴおよびインクリボンＲを挟み込んで印刷ヘッド５６がプラテンローラー６５に当接して印刷が可能になる。その後、ユーザーが表示画面３５の編集結果を確認しながらキーボード３３により所望のテキスト（文字、数字、記号、簡易図形等のキャラクター）や画像を入力し、印刷を指示すると、テープ印刷装置３は、テープ送りモーター６０によりテープカートリッジＣからテープＴを繰り出し、印刷ヘッド５６の発熱素子を選択的に発熱させることによりテープＴに所望の印刷を行う。テープＴの印刷済み部分はテープ排出口５１から随時外部に送り出され、印刷を完了すると、テープ送りモーター６０は、余白分を含むテープ長さの位置までテープＴの送りを行った後、その送りを停止する（その後、切断処理に移行する）。
【００４０】
一方、テープＴは、裏面に粘着剤層が形成された記録テープＴａと、この粘着剤層により記録テープＴａに貼り付けられた剥離テープＴｂとから構成されている。そして、テープＴは、記録テープＴａを外側にし、かつ剥離テープＴｂを内側にしてロール状に巻回されてカートリッジケース６１内に収容されている。また、テープＴは、テープ種別（テープ幅、テープの地色、地模様、材質（質感）など）が異なる複数種のものが用意されており、各カートリッジケース６１には、このうち１種類のテープＴおよびインクリボンＲが収容されている。
【００４１】
また、カートリッジケース６１の裏面にはテープカートリッジＣの種別を特定する複数の孔（図示省略）が設けられている。また、複数の孔に対応してカートリッジ装着部３６には、これらを検出するテープ識別センサー（マイクロスイッチ等）６７（図５参照）が、複数設けられており、このテープ識別センサー６７により複数の孔の状態を検出することで、テープ種別を判別できるようになっている。
【００４２】
次に、図５を参照し、テープ印刷装置３の制御構成について説明する。テープ印刷装置３は、データ入出力部７１、操作部７２、印刷処理部７３（印刷手段）、切断部７４、検出部７５、駆動部７６、およびこれら各部と接続され、テープ印刷装置３全体を制御する制御部７７により構成されている。
【００４３】
データ入出力部７１は、データ供給インターフェイス（ＤＳ−ＩＦ）８０を有し、コネクタ４６を介して情報処理装置２から印刷データを受信する。操作部７２は、キーボード３３および表示画面３５（液晶ディスプレー）を有し、ユーザーによる文字情報の入力や各種情報の表示等のユーザーインターフェイスを司る。
【００４４】
印刷処理部７３は、テープカートリッジＣ、印刷ヘッド５６およびテープ送りモーター６０を有し、テープＴおよびインクリボンＲを送りながらテープＴ上に入力または受信した文字情報や画像データを印刷する。切断部７４は、テープカッター５２およびこれらを駆動するカッターモーター５３を有し、印刷済みのテープＴを切断する。
【００４５】
検出部７５は、テープ識別センサー６７の他、テープ送りモーター６０の回転速度を検出する回転速度センサー（図示省略）等のセンサーを有し、各種検出を行う。駆動部７６は、ディスプレードライバー８１、ヘッドドライバー８２、テープ送りモータードライバー８３、カッターモータードライバー８４を有し、各部を駆動する。
【００４６】
制御部７７は、ＣＰＵ９１、ＲＯＭ９２、ＲＡＭ９３、および入力制御装置９４（ＩＯＣ：Input Output Controller）を備え、互いに内部バス９５により接続されている。ＲＯＭ９２は、ＣＰＵ９１が各種制御を行うための制御プログラムおよび制御データを記憶している。ＲＡＭ９３は、ＣＰＵ９１が各種処理を実行するための作業領域として使用される。
【００４７】
ＣＰＵ９１はＲＯＭ９２内の制御プログラムにしたがって、ＩＯＣ９４を介してテープ印刷装置３の各部から各種信号・データを入力する。また、入力した各種信号・データに基づいて、ＲＡＭ９３内の各種データを処理し、ＩＯＣ９４を介してテープ印刷装置３内の各部に各種信号データを出力することにより、印刷処理等を制御する。例えば、データ供給インターフェイス８０を介して、情報処理装置２から印刷データを取得すると、ＣＰＵ９１は、駆動部７６に対して印刷ヘッド５６やテープ送りモーター６０を駆動させるための指令を送って印刷処理を実行させ、さらに駆動部７６に対してカッターモーター５３を駆動させるための指令を送って切断処理を実行させることにより、印刷済みのテープＴを作成する。
【００４８】
次に、図６を参照して、プレビュー表示画面２１において、印刷イメージ２２を編集する流れを画面遷移に基づいて説明する。この図６では、一例として、印刷イメージ２２の両端の余白を編集する手順について説明する。なお、画面Ｄ０１における余白の長さは「ふつう（画面Ｄ０３の余白編集メニュー１０２の上から３番目）」に設定されているものとする。また、ここでは、編集前の印刷イメージ２２を「印刷イメージ２２ａ」とし、編集後の印刷イメージ２２を「印刷イメージ２２ｂ」とする。
【００４９】
まず、画面Ｄ０１は、プレビュー表示画面２１上に表示した印刷イメージ２２ａの左上のポイントＰ（図中の矢印部分）を、ユーザーが指定（マウスでクリック）した図である。この画面Ｄ０１のように、ユーザーが所望のポイントＰを指定すると、そのポイントＰがプレビュー表示画面２１において予め設定された領域２４内に含まれている場合には、当該領域２４に対応した編集項目が表示される。すなわち、ここでは、当該ポイントＰは領域２４ａおよび領域２４ｂに含まれるため、編集項目として「余白設定」および「カット設定」を選択可能な編集メニュー１０１が表示された画面Ｄ０２に遷移する。
【００５０】
この画面Ｄ０２において、ユーザーにより編集メニュー１０１の「余白設定」が選択されると、画面Ｄ０３に遷移し、「余白設定」で編集可能な内容を示す選択候補を表示した余白編集メニュー１０２を表示する。この余白編集メニュー１０２では、「極小」、「少なめ」、・・・、「テープ幅と同じ」等の印刷イメージ２２ａの余白の長さに関しての編集を行うための複数の選択候補が表示される。なお、ここで述べる「テープ幅」とは、図中の印刷イメージ２２の縦方向の長さを示すものである。
【００５１】
続いて、画面Ｄ０３で、ユーザーにより「極小」が選択されると、画面Ｄ０４のように、印刷イメージ２２ａの両端の余白の長さを「ふつう」から「極小」に変更した印刷イメージ２２ｂが表示される。つまり、印刷イメージ２２ａの両端の余白を、参照番号１０３で示す長さ分だけ短くした印刷イメージ２２ｂがプレビュー表示される。
【００５２】
次に、図７のフローチャートを参照して、プレビュー表示画面２１における印刷イメージ２２の一連の編集手順について説明する。まず、情報処理装置２（ＣＰＵ１６）は、ユーザーによる所定の操作により、プレビュー表示画面２１に印刷イメージ２２を表示する（Ｓ０１，印刷イメージ表示手段）。この時、情報処理装置２は、プレビュー表示画面２１に表示される印刷イメージ２２に対して、当該印刷イメージ２２の少なくとも一部を含む１以上の領域２４を設定する（Ｓ０２，領域設定手段）。
【００５３】
続いて、ユーザーの操作により、プレビュー表示画面２１上の所望のポイントＰが指定されると（Ｓ０３，ポイント指定手段）、情報処理装置２は、指定されたポイントＰが、設定した領域２４に含まれるか否かを判別する（Ｓ０４）。指定されたポイントＰが領域２４に含まれない場合（Ｓ０５；Ｎｏ）、情報処理装置２は、Ｓ０３以降の処理を繰り返す。
【００５４】
一方、指定されたポイントＰが領域２４に含まれる場合（Ｓ０５；Ｙｅｓ）、情報処理装置２は、プレビュー表示画面２１上に、当該領域２４に関連付けられた編集項目をメニュー形式（編集メニュー１０１）で表示する（Ｓ０６，編集項目表示手段）。この時、指定されたポイントＰが、複数の領域２４に含まれる場合は、当該複数の領域２４に関連付けられた全ての編集項目を表示する。例えば、図３において、ユーザーにより文字「機」の付近が指定された場合、領域２４ｃ、領域２４ｄおよび領域２４ｅに関連付けられた編集項目を表示する。但し、領域２４ｃと領域２４ｄとは同一の編集項目が関連付けられているため、この場合、編集項目としては「外枠設定」および「フォント設定」が表示されることになる。
【００５５】
続いて、ユーザーの操作により、所望の編集項目が選択されると（Ｓ０７，編集項目選択手段）、情報処理装置２は、選択された編集項目で編集可能な内容を示す１以上の選択候補を表示する（Ｓ０８）。そして、ユーザーの操作により、所望の選択候補が選択されると（Ｓ０９）、情報処理装置２は、当該選択候補に基づく編集を実行し（Ｓ１０，編集手段）、その編集結果を反映させた印刷イメージ２２をプレビュー表示画面２１に表示する（Ｓ１１）。
【００５６】
以上のように、本実施形態によれば、印刷イメージ２２を表示するプレビュー表示画面２１上で、ユーザーが編集したいポイントＰを指定するだけで、当該印刷イメージ２２を編集し、その編集結果を反映させた印刷イメージ２２を表示することができる。つまり、従来のように、編集画面に切り替えて編集する必要がなく、簡単に、且つ直感的な操作で編集を行うことができ、利便性が良い。
【００５７】
また、指定したポイントＰの印刷イメージ２２（印刷イメージ２２の指定部分）に対し、複数種類の編集方法がある場合に、その全ての編集項目を表示することができる。これにより、例えば、ユーザーが知らない（あるいは、想定していない）編集項目の存在を認識させることができ、ユーザーの編集作業の幅を広げることができる。
【００５８】
なお、本実施形態では、情報処理装置２のディスプレー１３を液晶ディスプレーとしているが、タッチパネル付きディスプレーで形成しても良い。これにより、画面に触るだけで印刷イメージ２２の編集ができるため、より直感的な操作で編集を行うことができる。特に、キーボード１１やマウス１２等を使い慣れていない人でも容易に操作でき、利便性が良い。
【００５９】
また、本実施形態で述べた、情報処理装置２におけるプレビュー表示画面２１上で印刷イメージ２２を編集する機能を、テープ印刷装置３で実現するようにしても良い。この場合、情報処理装置２においてプレビュー表示画面２１上の任意のポイントＰの指定する手段の代わりとして、カーソルキー４２の操作により領域２４を切り替えて指定するようにすれば良い。また、テープ印刷装置３の表示画面３５をタッチパネル付きの表示画面とし、当該画面をタッチしてポイントＰを指定するようにしても良い。
【００６０】
また、上述の実施例に示した、情報処理装置２の機能をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００６１】
また、上述した実施例によらず、印刷システム１（情報処理装置２およびテープ印刷装置３）の構成や処理工程等について、本発明の要旨を逸脱しない範囲で、適宜変更も可能である。
【符号の説明】
【００６２】
１…印刷システム  ２…情報処理装置  ３…テープ印刷装置  １２…マウス  １３…ディスプレー  ２１…プレビュー表示画面  ２２…印刷イメージ  ２４…領域  ７３…印刷処理部  １０１…編集メニュー  １０２…余白編集メニュー  Ｐ…ポイント  Ｔ…テープ
【図１】
2010224703.tif 000003
【図２】
2010224703.tif 000004
【図３】
2010224703.tif 000005
【図４】
2010224703.tif 000006
【図５】
2010224703.tif 000007
【図６】
2010224703.tif 000008
【図７】
2010224703.tif 000009